(57)【要約】  【課題】天板の下方に配線受を有し、配線受の上方に天板の上方と下方とを連通する配線通過スリットを設けてなる天板付き家具において、天板の開口面積を小さくして天板の強度を確保しつつ、配線受へのアクセスを容易に行うことができるようにする。  【解決手段】天板１の下方に配線受３を有する天板付き家具たるテーブルＴ１に、天板１の上方と下方とを連通し、開口縁を天板１の外周縁から離間させてなる配線通過スリット１ｓと、前記配線通過スリット１ｓに連通して配線受３の上方に設けてなり幅寸法ｄ２が前記配線通過スリットの長手寸法ｄ１よりも小さい窓部１ｗと、前記窓部１ｗを閉塞する閉止状態と前記窓部１ｗの上方と下方とを連通する開放状態との間で変化可能な蓋体５とを具備させる。  【選択図】図２
2010115292.tif 000002
【特許請求の範囲】
【請求項１】
天板の下方に配線受を有する天板付き家具であって、天板の上方と下方とを連通し、開口縁を天板の外周縁から離間させてなる配線通過スリットと、前記配線通過スリットに連通して配線受の上方に設けてなり幅寸法が前記配線通過スリットの長手寸法よりも小さい窓部と、前記窓部を閉塞する閉止状態と前記窓部の上方と下方とを連通する開放状態との間で変化可能な蓋体とを具備することを特徴とする天板付き家具。
【請求項２】
前記天板の下方に互いに離間する複数のフレーム要素を有するフレーム体を設けてなるものであって、前記配線通過スリットが、前記フレーム要素間の部位とその上方の部位とを連通することを特徴とする請求項１記載の天板付き家具。
【請求項３】
前記配線通過スリット及び窓部を天板の反使用端縁側に設けている請求項１又は２記載の天板付き家具。
【請求項４】
天板が平面視矩形状又は正方形状をなすとともに、天板の互いに対向する２辺に使用端縁を設定し、前記配線通過スリットを天板の両使用端縁から等距離となる位置に設けている請求項１又は２記載の天板付き家具。
【請求項５】
前記配線通過スリットが天板の幅方向に延伸している請求項１、２、３又は４記載の天板付き家具。
【発明の詳細な説明】
【技術分野】
【０００１】
本発明は、天板の上方と下方とを連通する配線通過スリットを有する天板付き家具に関する。
【背景技術】
【０００２】
従来、天板の下方に配線受を設けているとともに、天板の上方と下方とを連通する配線通過スリットを設け、前記配線受に配した電源コンセントや情報コンセント等と天板上に配置したパーソナルコンピュータ等とを接続するケーブルが前記配線通過スリットを通過するようにしてこれら電源コンセントや情報コンセント等とパーソナルコンピュータ等とを接続可能な構成の天板付き家具が種々知られている（例えば、特許文献１を参照）。
【特許文献１】特開２００５−１０２９２８号公報
【発明の開示】
【発明が解決しようとする課題】
【０００３】
ところで、特許文献１記載の構成では、配線通過スリットを天板の巾方向一杯に設けているので、天板が配線通過スリットで分断され、天板の強度が低下する不具合が存在する。天板の強度の低下を抑えるには、前記配線通過スリットの開口幅を小さくすることが考えられるが、配線通過スリットの開口幅を小さくすると、この配線通過スリットを介した配線受へのアクセスが行いにくくなるという別の不具合が発生する。その一方で、配線受へのアクセスの便を図るべく配線通過スリットを開口幅を大きくすると、天板の強度がより低下する。
【０００４】
本発明はこのような課題を解決すること、すなわち天板の強度の確保と配線受へのアクセスの確保とを両立させることを目的とする。
【課題を解決するための手段】
【０００５】
すなわち本発明に係る天板付き家具は、以上に述べた課題を解決すべく、天板の下方に配線受を有する天板付き家具であって、天板の上方と下方とを連通し、開口縁を天板の外周縁から離間させてなる配線通過スリットと、前記配線通過スリットに連通して配線受の上方に設けてなり幅寸法が前記配線通過スリットの長手寸法よりも小さい窓部と、前記窓部を閉塞する閉止状態と前記窓部の上方と下方とを連通する開放状態との間で変化可能な蓋体とを具備することを特徴とする。
【０００６】
このようなものであれば、開口縁を天板の外周縁から離間させた配線通過スリットを設けているので、この配線通過スリットを介して配線を天板の下方から上方に引き出せるようにしつつ、天板の開口面積を小さくできる。また、配線通過スリットの開口縁を天板の外周縁から離間させているので、天板面の配線通過スリットの外側の領域も使用可能であり、天板の使用可能面積をより多く確保できる。その一方で、窓部を配線通過スリットに連通して配線受の上方に設けているので、この窓部を介して配線受へのアクセスを行うことができる。さらに、前記配線通過スリットの長手寸法を前記窓部の幅寸法よりも大きくしているので、コード類を前記配線通過スリットの長手方向端部から天板上に導くようにすることで、天板面上にコード類が露出する部分の長さを抑えることができる。そして、前記窓部を閉塞する閉止状態と前記窓部の上方と下方とを連通する開放状態との間で変化可能な蓋体を具備するので、配線受へのアクセスを行わない通常時には蓋体を閉止状態として前記窓部を閉塞し、見栄えを確保できる。
【０００７】
天板の強度をさらに確保するためには、前記天板の下方に互いに離間する複数のフレーム要素を有するフレーム体を設けてなるものであって、前記配線通過スリットが、前記フレーム要素間の部位とその上方の部位とを連通するものが望ましい。このようなものであれば、前記フレーム体により天板の折り曲げ方向への強度を確保しつつ、前記配線通過スリットはフレーム要素間の部位に位置するので、フレーム要素の外側部分の強度も確保できるからである。
【０００８】
一人のみが使用する天板付き家具に本発明を適用する場合には、前記配線通過スリット及び窓部を天板の反使用端縁側に設けているものが望ましい。
【０００９】
一方、複数名が使用する天板付き家具に本発明を適用する場合には、天板が平面視矩形状又は正方形状をなすとともに、天板の互いに対向する２辺に使用端縁を設定し、前記配線通過スリットを天板の両使用端縁から等距離となる位置に設けているものが望ましい。
【００１０】
天板の左右両端部を下方から支持させてなる態様において、天板の強度をさらに確保するためには、前記配線通過スリットが天板の幅方向に延伸しているものが望ましい。このようなものであれば、天板に載せ置いた物品の荷重に起因する折り曲げ力は、天板を幅方向に圧縮する方向に作用するので、前記配線通過スリットが天板の幅方向に延伸しているものであれば対折り曲げ強度の低下幅の度合いが小さいからである。
【発明の効果】
【００１１】
本発明に係る天板付き家具の構成によれば、配線通過スリットの開口縁を天板の外周縁から離間させることにより、天板が配線通過スリットにより分断されることを解消し、天板の開口面積を小さくして天板の強度を確保できる。また、配線通過スリットの開口縁を天板の外周縁から離間させているので、天板面の配線通過スリットの外側の領域も使用可能であり、天板の使用可能面積をより多く確保できる。さらに、前記配線通過スリットの長手寸法を前記窓部の幅寸法よりも大きくしているので、コード類を前記配線通過スリットの長手方向端部から天板上に導くようにすることで、天板面上にコード類が露出する部分の長さを抑えることができる。加えて、配線通過スリットに連通して配線受の上方に設けた窓部を介して配線受へのアクセスを行うことができるので、配線受へのアクセスを容易に行うことができる。
【発明を実施するための最良の形態】
【００１２】
以下、本発明の第一実施形態について述べる。
【００１３】
本実施形態に係る天板付き家具たるテーブルＴ１は、図１、図２、及び図３に示すように、天板１と、この天板１を支持する脚２と、天板１下方に設けた配線受３とを具備する。なお、図１はこのテーブルＴ１の斜視図、図２は底面図である。また、図３は図２におけるＸ−Ｘ断面図である。
【００１４】
前記天板１は、平面視矩形状をなし、一長辺を使用端縁１ａとして設定している。
【００１５】
さらに本実施形態では、天板１の下方に互いに離間する複数のフレーム要素を有するフレーム体４を設けている。このフレーム体４は、天板１を補強すべくその下面に設けられる。具体的には、このフレーム体４は、天板１の両側端縁１ｃ、１ｃから内方に離間した位置に設けられ奥行き方向に延伸する左右１対の天板受４ａ、４ａと、天板１の使用端縁１ａ及び反使用端縁１ｂからそれぞれ内方に離間した位置に設けられ前記左右の天板受４ａ、４ａ間を接続する前後１対の横フレーム要素４ｂ、４ｂと、前記天板受４ａ、４ａから天板１の幅方向中央寄りに離間した位置に設けられ奥行き方向に延伸する左右１対の縦フレーム要素４ｃ、４ｃとを有する。また、オプション部材として、幕板６を取り付け可能にしている。この幕板６は、図１及び図３ではでは省略して示している。また、図２では想像線により示している。
【００１６】
前記脚２は、本実施形態では床面から４本起立させて設けている。そして、この脚２の上端部を、前記左右の天板受４ａ，４ａの前後両端にそれぞれ接続していて、この脚２により天板１を支持している。ここで、図２では、この脚２は想像線により示している。なお、板状の脚２や、ベースから支柱を起立させて設けた脚２を採用してももちろんよい。
【００１７】
前記配線受３は、天板１の反使用端縁１ｂ近傍の部位の下方に設けている。なお、前記図２中では、この配線受３はその一部を破断して示している。
【００１８】
しかして本実施形態では、前記天板１は、反使用端縁１ｂ側に、天板１の上方と下方とを連通し、開口縁を天板１の外周縁から離間させてなる配線通過スリット１ｓと、前記配線通過スリット１ｓに連通して配線受３の上方に設けてなる窓部１ｗと、前記窓部１ｗを閉塞する閉止状態と前記窓部１ｗの上方と下方とを連通する開放状態との間で変化可能な蓋体５とを具備する。
【００１９】
前記配線通過スリット１ｓは、本実施形態では、天板１の幅方向に延伸させて反使用端縁１ｂ側の横フレーム要素４ｂよりも反使用端縁１ｂ寄りに設けている。そして、この配線通過スリット１ｓの開口縁は、天板１の外周縁、すなわち使用端縁１ａ、反使用端縁１ｂ、及び両側縁１ｃ、１ｃのいずれからも離間させている。具体的には、この配線通過スリット１ｓの反使用端縁１ｂ側の開口縁を反使用端縁１ｂよりも内方に離間させているとともに、その長手方向両端縁を、前記縦フレーム要素４ｃよりも幅方向中央寄りに設定している。なお、この配線通過スリット１ｓの奥行き寸法ｄ３は、電源コード及び情報コードのコード径よりもやや大きく、これらのコードを無理なく通過・移動させることができる程度に設定している。
【００２０】
前記窓部１ｗは、前記配線通過スリット１ｓの長手方向中央部の反使用端縁１ｂ寄りに、前記配線通過スリット１ｓに連通させて設けている。この窓部１ｗの幅寸法ｄ２は、前記配線通過スリット１ｓの長手寸法ｄ１よりも小さく設定している。また、この窓部１ｗの奥行き寸法ｄ４は、前記配線通過スリット１ｓの奥行き寸法ｄ３よりも大きく設定している。具体的には、この窓部１ｗの奥行き寸法ｄ４は、コンセントボックスの取り出し及び収納を容易になし得る程度に設定している。そして、この窓部１ｗの反使用端縁１ｂ側の開口縁は、反使用端縁１ｂよりも内方に離間させている。
【００２１】
このテーブルＴ１の天板１上に載せ置いた図示しないパーソナルコンピュータ等の電気器具と、配線受３に支持させた図示しない電源コンセント及び情報コンセントとの接続は、以下のようにして行うようにしている。まず、蓋体５を開放状態として窓部１ｗの上方から配線受３にアクセス可能な状態にする。次いで、電気器具の電源コード及び情報コードを、前記配線通過スリット１ｓを通過させて電源コンセント及び情報コンセントにそれぞれ接続する。そして、蓋体５を閉止状態として窓部１ｗを閉塞する。
【００２２】
以上に述べたように、本実施形態に係るテーブルＴ１の構成によれば、天板１の上方と下方とを連通する配線通過スリット１ｓを設けることにより配線を天板１の下方から上方に引き出せるようにしつつ、この配線通過スリット１ｓの開口縁を天板１の外周縁から離間させているので、天板１の開口面積を小さくし、天板１の強度を確保できる。また、配線通過スリット１ｓの開口縁を天板１の外周縁から離間させているので、配線通過スリット１ｓの外側の領域も天板としての機能を発揮でき、天板１の使用可能面積をより多く確保できる。その上、窓部１ｗを配線通過スリット１ｓに連通して配線受３の上方に設けているので、この窓部１ｗを介して配線受３へのアクセスを行うことができ、配線受３へのアクセスの利便性を損なわないようにできる。また、この窓部１ｗの幅寸法ｄ２は、前記配線通過スリット１ｓの長手寸法ｄ１よりも小さいので、この点からも天板１の開口面積を小さくし、天板１の強度を確保できるとともに、電源コード及び情報コードを前記配線通過スリット１ｓの長手方向端部から天板１上に導くようにすることで、天板１の天板面上にコードが露出する部分の長さを抑えることができる。そして、前記窓部１ｗを閉塞する閉止状態と前記窓部１ｗの上方と下方とを連通する開放状態との間で変化可能な蓋体５を具備するので、配線受３へのアクセスを行わない通常時には蓋体５を閉止状態として該蓋体５により前記窓部１ｗを閉塞し、見栄えを確保できる。
【００２３】
また、前記配線通過スリット１ｓが天板１の幅方向に延伸しているので、天板１に載せ置いた物品の荷重に起因する折り曲げ力に対する強度の低下を抑えつつ、このような配線通過スリット１ｓを実現できる。
【００２４】
さらに、前記天板１の下方に互いに離間する左右１対の縦フレーム要素４ｃ、４ｃを有するフレーム体４を設けているとともに、前記配線通過スリット１ｓが、前記縦フレーム要素４ｃ、４ｃ間の部位とその上方の部位とを連通しているので、前記配線通過スリット１ｓを前記縦フレーム要素４ｃ間の部位に位置させることにより、前記縦フレーム要素４ｃ、４ｃよりも外側すなわち幅方向両端側の部分の対折り曲げ強度を維持できる。
【００２５】
次いで、本発明の第二実施形態について述べる。
【００２６】
本実施形態に係る天板付き家具たるテーブルＴ２は、図４に底面図を示すように、天板Ａ１と、この天板Ａ１を支持する脚Ａ２と、天板Ａ１下方に設けた配線受Ａ３とを具備する。なお、前記配線受Ａ３は、前記図４では想像線により示している。
【００２７】
前記天板Ａ１は、平面視矩形状をなし、２つの長辺をそれぞれ使用端縁Ａ１ａ、Ａ１ａとして設定している。
【００２８】
さらに本実施形態においても、天板Ａ１の下方に互いに離間する複数のフレーム要素を有するフレーム体Ａ４を設けている。このフレーム体Ａ４は、天板１を補強すべくその下面に設けられる。具体的には、このフレーム体Ａ４は、天板Ａ１の両側端縁Ａ１ｃ、Ａ１ｃから内方に離間した位置に設けられ奥行き方向に延伸する左右１対の天板受Ａ４ａ、Ａ４ａと、天板Ａ１の両使用端縁Ａ１ａ、Ａ１ａからそれぞれ内方に離間した位置に設けられ前記天板受Ａ４ａ、Ａ４ａ間を接続する前後１対の横フレーム要素Ａ４ｂ、Ａ４ｂと、前記天板受Ａ４ａ、Ａ４ａ間に互いに離間して設けられ奥行き方向に延伸する３本の縦フレーム要素Ａ４ｃ、Ａ４ｃ、Ａ４ｃとを有する。
【００２９】
前記脚Ａ２は、本実施形態では床面から４本起立させて設けている。そして、この脚Ａ２の上端部を、前記左右の天板受Ａ４ａ，Ａ４ａの前後両端にそれぞれ接続していて、この脚Ａ２により天板Ａ１を支持している。ここで、図４では、この脚Ａ２は想像線により示している。なお、板状の脚や、ベースから支柱を起立させて設けた脚を採用してももちろんよい。
【００３０】
前記配線受Ａ３は、天板Ａ１の奥行き方向中央部の下方に設けている。
【００３１】
しかして本実施形態では、前記天板Ａ１は、両使用端縁Ａ１ａ、Ａ１ａから等距離となる位置すなわち奥行き方向中央部に、天板Ａ１の上方と下方とを連通し、幅方向に延伸させて２箇所に設けてなる配線通過スリットＡ１ｓ、Ａ１ｓと、前記配線通過スリットＡ１ｓ、Ａ１ｓに連通して配線受Ａ３の上方に設けてなる４箇所の窓部Ａ１ｗと、前記窓部Ａ１ｗを閉塞する閉止状態と前記窓部Ａ１ｗの上方と下方とを連通する開放状態との間で変化可能な４個の蓋体Ａ５とを具備する。
【００３２】
前記配線通過スリットＡ１ｓは、本実施形態では、幅方向中央に位置する前記縦フレーム要素Ａ４ｃと左側に位置する前記縦フレーム要素Ａ４ｃとの間、及び幅方向中央に位置する前記縦フレーム要素Ａ４ｃと右側に位置する前記縦フレーム要素Ａ４ｃとの間にそれぞれ設けている。また、この配線通過スリットＡ１ｓの開口縁は、天板Ａ１の外周縁、すなわち両使用端縁Ａ１ａ、Ａ１ａ、及び両側縁１ｃ、１ｃのいずれからも離間させている。
【００３３】
前記窓部Ａ１ｗは、前記配線通過スリットＡ１ｓの長手方向中央部の両使用端縁Ａ１ａ、Ａ１ａ寄りに、前記配線通過スリットＡ１ｓに連通させてそれぞれ設けている。この窓部Ａ１ｗの幅寸法ｄ４は、前記配線通過スリットＡ１ｓの長手寸法ｄ３よりも小さく設定している。そして、この窓部Ａ１ｗの使用端縁Ａ１ａ側の開口縁は、使用端縁Ａ１ａから内方に離間させている。
【００３４】
このテーブルＴ２の天板Ａ１上に載せ置いた図示しないパーソナルコンピュータ等の電気器具と、配線受Ａ３に支持させた図示しない電源コンセント及び情報コンセントとの接続は、前述した第一実施形態に係るものと同様であるので、詳細な説明は省略する。
【００３５】
本実施形態に係るテーブルＴ２の構成によれば、上述した第一実施形態に係るテーブルＴ１の構成による効果に加えて、前記配線通過スリットＡ１ｓを奥行き方向中央部に設けているとともに、この配線通過スリットＡ１ｓの前後両側に窓部Ａ１ｗを設けているので、両使用端縁Ａ１ａ、Ａ１ａのいずれに着座した着座者からも配線受Ａ３へのアクセスを確保できる効果が得られる。
【００３６】
なお、本発明は以上に述べた実施形態に限られない。
【００３７】
例えば、底面図を図５に示すような異形の天板Ｂ１を有する天板付き家具たるテーブルＴ３に本発明を適用してもよい。
【００３８】
このテーブルＴ３の天板Ｂ１は、使用端縁Ｂ１ａよりも反使用端縁Ｂ１ｂの寸法が大きく、また、使用端縁Ｂ１ａの左側は使用者に向かう側に凹であり、使用端縁Ｂ１ａの右側は使用者に向かう側に突出している。一方、反使用端縁Ｂ１ｂは、全域にわたって使用端縁Ｂ１ａから離間する方向に膨出している。
【００３９】
また、この天板Ｂ１の下面には、前述した第一実施形態に係るテーブルＴ１におけるものと同様のフレーム体Ｂ４を設けている。すなわち、このフレーム体Ｂ４は、天板Ｂ１の両側端縁Ｂ１ｃ、Ｂ１ｃから内方に離間した位置に設けられ奥行き方向に延伸する左右１対の天板受Ｂ４ａ、Ｂ４ａと、天板Ｂ１の使用端縁Ｂ１ａ及び反使用端縁Ｂ１ｂからそれぞれ内方に離間した位置に設けられ前記左右の天板受Ｂ４ａ、Ｂ４ａ間を接続する前後１対の横フレーム要素Ｂ４ｂ、Ｂ４ｂと、前記天板受Ｂ４ａ、Ｂ４ａから天板Ｂ１の幅方向中央寄りに離間した位置に設けられ奥行き方向に延伸する左右１対の縦フレーム要素Ｂ４ｃ、Ｂ４ｃとを有する。加えて、この天板Ｂ１の反使用端縁Ｂ１ｂから所定距離離間した位置の下方にも配線受Ｂ３を設けている。なお、前記図５中では、配線受Ｂ３の一部を破断して示している。さらに、この天板Ｂ１の反使用縁Ｂ１ｂ近傍に想像線で示す幕板Ｂ６をオプション部材として取り付け可能である。
【００４０】
そしてこの天板Ｂ１も、反使用端縁Ｂ１ｂ側に、天板Ｂ１の上方と下方とを連通し、開口縁を天板Ｂ１の外周縁から離間させてなる配線通過スリットＢ１ｓと、前記配線通過スリットＢ１ｓに連通して配線受Ｂ３の上方に設けてなる窓部Ｂ１ｗと、前記窓部Ｂ１ｗを閉塞する閉止状態と前記窓部Ｂ１ｗの上方と下方とを連通する開放状態との間で変化可能な蓋体Ｂ５とを具備する。
【００４１】
このような構成を採用しても、上述した第一実施形態に係る効果は全て得ることができる。
【００４２】
また、配線通過スリットは、天板の幅方向に限らず、天板の奥行き方向に延伸するものでもよく、斜め方向に延伸するものであってもよい。
【００４３】
さらに、天板が小さいものや、天板の幅方向中央部の下方に中間脚を有するもの等、天板の折り曲げ強度がある程度確保されているものにおいては、フレーム体は省略してもよい。
【００４４】
加えて、天板は矩形状でなく、正方形のものであってもよい。この場合、１辺のみを使用端縁として設定してもよく、互いに対向する２辺を使用端縁として設定してもよい。さらに、矩形の長手方向に延伸する１辺ないし２辺を外方に凸をなすように膨出させた形状すなわちＤ字状ないしボート状をなす天板形状を採用し、この天板の外方に凸をなす部位を使用端縁に設定してもよい。
【００４５】
その他、本発明の趣旨を損ねない範囲で種々に変更してよい。
【図面の簡単な説明】
【００４６】
【図１】本発明の第一実施形態に係るテーブルを示す斜視図。
【図２】同実施形態に係るテーブルの底面図。
【図３】図２におけるＸ−Ｘ断面図。
【図４】本発明の第二実施形態に係るテーブルの底面図。
【図５】本発明の第三実施形態に係るテーブルの底面図。
【符号の説明】
【００４７】
Ｔ１、Ｔ２、Ｔ３…テーブル（天板付き家具）
１、Ａ１、Ｂ１…天板
１ｓ、Ａ１ｓ、Ｂ１ｓ…配線通過スリット
１ｗ、Ａ１ｗ、Ｂ１ｗ…窓部
３、Ａ３、Ｂ３…配線受
５、Ａ５、Ｂ５…蓋体
【図１】
2010115292.tif 000003
【図２】
2010115292.tif 000004
【図３】
2010115292.tif 000005
【図４】
2010115292.tif 000006
【図５】
2010115292.tif 000007